(57)【要約】【課題】ガス消費量が小さい場合のガス器具の判定とガス漏れの検出を行えるガス器具判定装置を提供する。【解決手段】ガス供給ラインに接続されるガス器具判定装置であって，ガス圧力を検出する圧力検出手段と，ガスの瞬時流量を検出する流量検出手段と，検出される圧力と流量とから，使用中のガス器具を判定するガス器具判定ユニットとを有する。ガス器具判定ユニットは，供給圧力の変化に対して流量が当該供給圧力の平方根に比例する第１の現象を検出した場合に，流量の発生後に流量の変化に対して供給圧力が流量と逆方向に変化する第３の現象が継続して生じている時にガスコンロの判定をし，第３の関係が継続して生じていない時にガス漏れの判定を行う。【選択図】図２
2007093459.tif 000002
【特許請求の範囲】
【請求項１】
ガス供給ラインに接続されるガス器具判定装置であって，
ガスの圧力を検出する圧力検出手段と，
ガス供給ライン内のガスの瞬時流量を検出する流量検出手段と，
前記圧力検出手段により検出される圧力と，流量検出手段により検出される流量とから，使用中のガス器具を判定するガス器具判定ユニットとを有し，
前記ガス器具判定ユニットは，
圧力の変化に対して流量が当該圧力の平方根に比例して変化する第１の現象を検出した場合に，流量の発生後に流量の変化に対して圧力が流量と逆方向に変化する第３の現象が継続して生じている時にガスコンロの判定をし，前記第１の現象を検出した場合に，流量の発生後に前記第３の現象が継続して生じていない時にガス漏れの判定を行い，
圧力の変化に対して流量が変化しない第２の現象を検出した場合に，流量の発生後に流量が徐々に減少する時にガスストーブの判定をし，前記第２の現象を検出した場合に，流量の発生後に流量が段階的に変化する時または流量が一定値を維持する時にガスファンヒータの判定を行い，
流量の変化に対して圧力が流量と逆方向に変化する第３の現象が継続したことを検出した場合に，ガス漏れではないガス器具の使用と判定し，さらに，流量の発生後の流量パターンに応じて，ガスファンヒータまたはガスコンロのいずれかを判定を行い，
前記第１の現象と，前記第２の現象と，前記第３の現象が継続したこととをいずれも検出できない場合に，流量の発生後の流量パターンに応じて，ガスストーブ，ガスファンヒータ，またはガスコンロのいずれかを判定することを特徴とするガス器具判定装置。
【請求項２】
ガス供給ラインに接続されるガス器具判定装置であって，
ガスの圧力を検出する圧力検出手段と，
ガス供給ライン内のガスの瞬時流量を検出する流量検出手段と，
前記圧力検出手段により検出される圧力と，流量検出手段により検出される流量とから，使用中のガス器具を判定するガス器具判定ユニットとを有し，
前記ガス器具判定ユニットは，圧力の変化に対して流量が当該圧力の平方根に比例して変化する第１の現象を検出した場合に，流量の発生後に流量の変化に対して圧力が流量と逆方向に変化する第３の現象が継続して生じている時にガスコンロの判定をし，前記第１の現象を検出した場合に，流量の発生後に前記第３の現象が継続して生じていない時にガス漏れの判定を行うことを特徴とするガス器具判定装置。
【請求項３】
ガス供給ラインに接続されるガス器具判定装置であって，
ガスの圧力を検出する圧力検出手段と，
ガス供給ライン内のガスの瞬時流量を検出する流量検出手段と，
前記圧力検出手段により検出される圧力と，流量検出手段により検出される流量とから，使用中のガス器具を判定するガス器具判定ユニットとを有し，
前記ガス器具判定ユニットは，圧力の変化に対して流量が変化しない第２の現象を検出した場合に，流量の発生後に流量が徐々に減少する時にガスストーブの判定をし，前記第２の現象を検出した場合に，流量の発生後に流量が段階的に変化する時または流量が一定値を維持する時にガスファンヒータの判定を行うことを特徴とするガス器具判定装置。
【請求項４】
ガス供給ラインに接続されるガス器具判定装置であって，
ガスの圧力を検出する圧力検出手段と，
ガス供給ライン内のガスの瞬時流量を検出する流量検出手段と，
前記圧力検出手段により検出される圧力と，流量検出手段により検出される流量とから，使用中のガス器具を判定するガス器具判定ユニットとを有し，
前記ガス器具判定ユニットは，流量の変化に対して圧力が流量と逆方向に変化する第３の現象が継続したことを検出した場合に，ガス漏れではないガス器具の使用と判定し，さらに，流量の発生後の流量パターンに応じて，ガスファンヒータまたはガスコンロのいずれかを判定することを特徴するガス器具判定装置。
【請求項５】
ガス供給ラインに接続されるガス器具判定装置であって，
ガスの圧力を検出する圧力検出手段と，
ガス供給ライン内のガスの瞬時流量を検出する流量検出手段と，
前記圧力検出手段により検出される圧力と，流量検出手段により検出される流量とから，使用中のガス器具を判定するガス器具判定ユニットとを有し，
前記ガス器具判定ユニットは，圧力の変化に対して流量が当該圧力の平方根に比例する第１の現象と，圧力の変化に対して流量が変化しない第２の現象と，流量の変化に対して圧力が流量と逆方向に変化する第３の現象が継続したこととをいずれも検出できない場合に，流量の発生後の流量パターンに応じて，ガスストーブ，ガスファンヒータ，またはガスコンロのいずれかを判定することを特徴とするガス器具判定装置。
【請求項６】
請求項１乃至５のいずれかにおいて，
前記ガス器具判定ユニットは，前記検出された流量が所定の基準値を超えている場合は，前記ガスストーブ，ガスファンヒータ及びガスコンロ以外のガス器具またはガス漏れと判定し，前記検出された流量が前記所定の基準値を超えていない場合は，前記ガスストーブ，ガスファンヒータ，ガスコンロまたはガス漏れのいずれかに判定することを特徴とするガス器具判定装置。
【請求項７】
請求項２において，
前記ガス器具判定ユニットは，前記検出された流量が第１の基準値を超えている場合はガス漏れと判定し，前記検出された流量が前記第１の基準値より低く当該第１の基準値より低い第２の基準値を超えている場合はガスコンロの放置状態と判定し，前記検出された流量が前記第２の基準値を超えていない場合はガス漏れまたはガスコンロのいずれかに判定することを特徴とするガス器具判定装置。
【請求項８】
請求項１乃至７のいずれかにおいて，
前記ガス器具判定ユニットは，前記検出された圧力と流量の過渡現象時の成分を除去したデータを，または前記検出された圧力と流量の所定時間内の平均値データに基づいて，前記第１〜第３の現象のいずれか否かを検出するガス器具判定装置。
【発明の詳細な説明】
【技術分野】
【０００１】
本発明は、家庭へのガス供給ライン中に設置され家庭内で使用されるガス器具を判定することができるガス器具判定装置に関する。
【背景技術】
【０００２】
各家庭のガス供給ラインの入り口に，ガス流量計を内蔵したガスメータが取り付けられる。このガスメータは，ガス供給ラインを通過するガス流量を計測するという基本機能に加えて，異常状態になったときガス供給を遮断するという保安機能を有する。この保安機能によれば，器具の消し忘れやガス漏れを検出し，ガスメータ内の遮断弁によりガス供給を遮断する。
【０００３】
図１は，保安機能の一つである安全継続使用時間オーバ時の遮断に利用される安全継続使用時間の設定値を示す図である。従来のガスメータは，ガスの使用開始を検出し，そのガス流量の使用が，ガス流量に対応して設定された安全継続使用時間を超えて継続されたことを検出してガスを遮断する。また，従来のガスメータは，公衆電話回線を通じてガス監視センタにガスの使用状況のデータを送信する機能を有し，ガス監視センタでは，所定の継続使用時間を超えてガスの使用が継続された場合に，電話等で顧客宅に警報をあげて安全を確認することを行っている。
【０００４】
図１の安全継続使用時間の設定は，ガス流量が大きな器具は，大型湯沸かし器や風呂釜などであることを前提に遮断時間を短く設定し，ガス流量が小さな器具は，ガスストーブなどであることを前提に遮断時間を長く設定している。しかしながら，ガス消費量が５ＫＷ以下（約５００Ｌ／Ｈ以下）のガス器具には，比較的長時間使用されるガスストーブやガスファンヒータに加えて，台所で使用されるガスコンロがあり，ガスコンロは通常１時間以内の短い継続時間である。また，５ＫＷ以下のガス流量にはガス漏れも含まれる。したがって，従来から５ＫＷ以下のガス消費量の場合に，使用中のガス器具を簡便に且つ正確に判別することが要請され，その判別方法が種々提案されている。たとえば，以下の特許文献１〜８である。
【０００５】
特許文献１〜５には，ガス供給圧力とガス流量との関係が，ガス供給圧力の平方根がガス流量に比例するという関係にあることを検出して，使用中のガス器具にはガスガバナが設けられていないと判断することが記載されている。
【０００６】
また，特許文献６〜８には，ガス器具の使用開始後のガス流量の変化を流量パターンとして各ガス器具毎にあらかじめ登録しておき，検出された流量パターンを登録済み流量パターンとマッチングさせ，一致した流量パターンを有するガス器具を使用中のガス器具と判定することが記載されている。
【特許文献１】特開平６−２４９７４１号公報
【特許文献２】特開平６−２４９７４２号公報
【特許文献３】特開平６−２６５４３２号公報
【特許文献４】特開平７−２７６６１号公報
【特許文献５】特開平７−２７６５８号公報
【特許文献６】特開２００３−１４８７２８号公報
【特許文献７】特開２００３−１４９０１９号公報
【特許文献８】特開２００３−１９４３３１号公報
【発明の開示】
【発明が解決しようとする課題】
【０００７】
特許文献１〜５は，ガス供給圧力が変動した場合，ガス供給圧力の変動を吸収してガス流量を一定に保つことができるガスガバナが装着されているガス器具と，ガスガバナが装着されていないガス器具またはガス漏れとを区別し，所定の推論でガス漏れを検出する。しかしながら，かかる推論は簡便ではなく現実的ではない。
【０００８】
さらに，特許文献６〜８では，多数のガス器具の流量パターンをガスメータ内のマイクロコンピュータに記憶させることが要求されコストアップになり，現実的ではない。
【０００９】
そこで，本発明の目的は，簡便で且つ正確にガス消費量が小さい場合のガス器具の判定とガス漏れの検出を行うことができるガス器具判定装置を提供することにある。
【課題を解決するための手段】
【００１０】
上記の目的を達成するために，本発明の第１の側面によれば，ガス供給ラインに接続されるガス器具判定装置であって，ガスの圧力を検出する圧力検出手段と，ガス供給ライン内のガスの瞬時流量を検出する流量検出手段と，前記圧力検出手段により検出される圧力と，流量検出手段により検出される流量とから，使用中のガス器具を判定するガス器具判定ユニットとを有する。ガス器具判定ユニットは，圧力の変化に対して流量が当該圧力の平方根に比例する第１の現象を検出した場合に，流量の発生後に流量の変化に対して圧力が流量と逆方向に変化する第３の現象が継続して生じている時にガスコンロの判定をし，前記第１の現象を検出した場合に，流量の発生後に前記第３の現象が継続して生じていない時にガス漏れの判定を行う。
【００１１】
上記の目的を達成するために，本発明の第２の側面によれば，ガス供給ラインに接続されるガス器具判定装置であって，ガスの圧力を検出する圧力検出手段と，ガス供給ライン内のガスの瞬時流量を検出する流量検出手段と，前記圧力検出手段により検出される圧力と，流量検出手段により検出される流量とから，使用中のガス器具を判定するガス器具判定ユニットとを有する。ガス器具判定ユニットは，圧力の変化に対して流量が変化しない第２の現象を検出した場合に，流量の発生後に流量が徐々に減少する時にガスストーブの判定をし，前記第２の現象を検出した場合に，流量の発生後に流量が段階的に変化する時または流量が一定値を維持する時にガスファンヒータの判定を行う。
【００１２】
上記の目的を達成するために，本発明の第３の側面によれば，ガス供給ラインに接続されるガス器具判定装置であって，ガスの圧力を検出する圧力検出手段と，ガス供給ライン内のガスの瞬時流量を検出する流量検出手段と，前記圧力検出手段により検出される圧力と，流量検出手段により検出される流量とから，使用中のガス器具を判定するガス器具判定ユニットとを有し，前記ガス器具判定ユニットは，流量の変化に対して圧力が流量と逆方向に変化する第３の現象が継続したことを検出した場合に，ガス漏れではないガス器具の使用と判定し，さらに，流量の発生後の流量パターンに応じて，ガスファンヒータまたはガスコンロのいずれかを判定する。
【００１３】
上記の目的を達成するために，本発明の第４の側面によれば，ガス供給ラインに接続されるガス器具判定装置であって，ガスの圧力を検出する圧力検出手段と，ガス供給ライン内のガスの瞬時流量を検出する流量検出手段と，前記圧力検出手段により検出される圧力と，流量検出手段により検出される流量とから，使用中のガス器具を判定するガス器具判定ユニットとを有し，前記ガス器具判定ユニットは，圧力の変化に対して流量が当該圧力の平方根に比例する第１の現象と，圧力の変化に対して流量が変化しない第２の現象と，流量の変化に対して圧力が流量と逆方向に変化する第３の現象が継続したこととをいずれも検出できない場合に，流量の発生後の流量パターンに応じて，ガスストーブ，ガスファンヒータ，またはガスコンロのいずれかを判定する。
【発明の効果】
【００１４】
上記発明の第１の側面によれば，圧力の変化に対して流量が当該圧力の平方根に比例する第１の現象を検出した場合は，ガバナのないガス器具の典型例であるガスコンロの使用とガス漏れとが推定されるが，ガスコンロの場合は流量調整に伴う流量変化が継続的に発生する。このガスコンロの人為的な流量調整の検出は，流量変化に応答して圧力が逆方向に変化する第３の現象が生じている場合に検出でき，かかる第３の現象による流量変化がない場合はガス漏れを検出することができる。したがって，比較的継続使用時間が短いガスコンロに対応する警報連絡や遮断制御を行うことができ，さらに，ガス漏れを区別して保安処理を行うことができる。
【００１５】
上記発明の第２の側面によれば，圧力の変化に対して流量が変化しない第２の現象を検出した場合は，ガバナのあるガス器具であって，比較的小さい流量（例えば５ＫＷ以下）を消費するガスストーブまたはガスファンヒータを推定することができる。そして，ガスストーブは，使用開始後燃焼によりガスストーブ内の温度上昇によりガス器具判定装置での流量が徐々に減少するのに対して，ガスファンヒータは，最大出力時は使用開始後流量が一定値を維持し中又は小出力時は使用開始後流量が段階的に低下する。したがって，これらの現象を検出することで，ガス消費量が小さいガバナ付きガス器具であって，ガスストーブとガスファンヒータとを区別することができ，それぞれに対応した保安処理を行うことができる。
【００１６】
上記発明の第３の側面によれば，第３の現象が継続したことを検出した場合は，少なくともガス漏れではなく，ガス器具の流量制御が行われていると判定し，流量パターンによってガス機器を判別することができる。ガス漏れでなく適切にガス器具が使用されていることが判別されるので，警報処理に差を付けることができる。
【００１７】
上記発明の第４の側面によれば，供給圧力の変動もガス器具側での流量制御も検出できない場合は，流量発生直後の流量パターンによってガス漏れかガス器具の種類を判定することができる。
【発明を実施するための最良の形態】
【００１８】
以下、図面にしたがって本発明の実施の形態について説明する。但し、本発明の技術的範囲はこれらの実施の形態に限定されず、特許請求の範囲に記載された事項とその均等物まで及ぶものである。
【００１９】
図２は，本実施の形態におけるガス器具判定機能を有するガスメータの構成図である。ガスメータ１０は，上流側のガス供給ライン１２に接続され，下流側のガス供給ライン１４を経由して顧客宅１６内のガスコンロ１８，ガスストーブ２０，ガスファンヒータ２２などに接続される。本実施の形態では，比較的ガス消費量が少ない，例えば５ＫＷ以下のガス器具の典型であるガスコンロ，ガスストーブ，ガスファンヒータを区別し，さらにガス漏れを区別することができる。
【００２０】
ガスメータ１０は，ガス流路内にガスの瞬時流量を検出するガス流量検出器１０２と，ガス流路内の圧力を検出する圧力検出器１０４と，ガス流路を遮断する遮断弁１０６とを有する。ガス流量検出器１０２は，例えば超音波センサからなり，ガスの瞬時流量を検出することができる。また，圧力検出器１０４は，ガス流路内のガス圧力を検出するが，そのガス圧力の変化は，第１に上流側のガス供給圧力の変動に伴う場合と，第２に下流側の流量変化に伴う圧力の変動（流量大に変化すると圧力小に変化する）に伴う場合とがあり，以下ではそのいずれの場合もガス圧力Pとして説明する。さらに，ガスメータ１０は，ガス流量検出器１０２からの検出された流量に基づいてガス消費量を演算する制御ユニット１０８を有し，この制御ユニット１０８は，圧力検出器１０４からの検出されたガスの圧力と，ガス流量検出器１０２からの流量とを監視し，ガス消費の開始を検出し，その後の圧力と流量から使用中のガス器具の判定及びガス漏れの検出を行うガス器具判定機能を有する。そして，ガスメータ１０は，公衆電話回線などにデータ送受信可能な通信ユニット１１０を有し，判定したガス器具やガス漏れ情報，継続使用時間の情報などを，通信ユニットから遠隔にあるガス監視センタに送信する。また，ガス監視センタからの遮断指令信号を受信し，制御ユニットにより遮断弁１０６を遮断する。
【００２１】
なお，上記のガスメータは主に都市ガスの場合の構成であり，ＬＰガスのガスメータの場合は，圧力検出器１０４が遮断弁１０６の上流側に設けられる。また，ガス器具の判定を行う制御ユニットと通信ユニットは，ガスメータの筐体内ではなく，筐体の外に取り付けられても良い。
【００２２】
顧客宅１６には，顧客に応じてガスコンロ，ガスストーブ，ガスファンヒータなどが設置され，それぞれガス供給ライン１４に接続される。これらのガス器具は，いずれもガス消費量が５ＫＷ以下と少ない。顧客宅１６には，大型給湯器や，ＢＦ，ＣＦ型の風呂釜，小型湯沸器なども設置されるが，これらのガス器具のガス消費量は５ＫＷを越えるので，使用中のガス流量からこれらのガス器具を，ガス消費量が少ないガスコンロ，ガスストーブ，ガスファンヒータなどと区別することができる。
【００２３】
一方，ガス消費量が少ないガスコンロ，ガスストーブ，ガスファンヒータなどのガス器具や，同程度のガス流量が検出されるガス漏れは，区別が容易ではない。いずれも５ＫＷ以下のガス流量だからである。本実施の形態のガス器具判定装置は，これらの判別を簡単に且つ正確に行うことができる。以下，これらのガス器具とガス漏れにおけるガスの圧力と流量との関係について説明し，それらの関係を利用したガス器具判定ロジックについて説明する。
【００２４】
前提として，上記のガス器具の特徴を説明すると，ガスコンロは，ガバナが取り付けられておらず，制御弁の開度を調節することで出力の制御が行われる。ガスストーブやガスファンヒータは，ガバナを有しているが，ガスストーブの場合は，単に，大出力と小出力など単純な出力の制御が可能なだけである。一方，ガスファンヒータは，温度設定することができ，室内温度に対応して出力が段階的に制御され，設定された温度になると出力は一定値に維持される。ガスファンヒータは点火時は，最大燃焼（最大流量）に制御され，設定温度に応じたガスの流量に段階的に減じられる。また，設定温度が最大値に設定されている場合は，点火時の最大燃焼（最大流量）がそのまま維持される。
【００２５】
図３は，ガスコンロにおけるガス供給圧力と流量との関係を示す図である。この例では，ガスコンロにおいてガス流量を制御する弁開度を一定状態に維持し，ガス供給圧力が変化した時の流量の変化を測定した結果である。ガスコンロには，ガバナが取り付けられていないので，ガスの供給圧力Ｐが変化した場合，それに対応して流量Ｑは供給圧力Ｐの平方根√Ｐに比例して変化する。
【００２６】
図３（１）には，供給圧力Ｐを段階的に減少させると，流量Ｑも段階的に減少して変化することが示されている。そこで，２秒毎にサンプリングした供給圧力Ｐと流量Ｑとを図３（２）に示すように横軸流量Ｑ，縦軸供給圧力Ｐのグラフにプロットすると，Ｐ＝ｋＱ2（またはＱ＝a√P）のグラフ上にサンプル点が存在する。ここで，ｋ，ａは共に定数である。つまり，流量Ｑが供給圧力Ｐの平方根に比例した関係を有する。したがって，ガス器具の使用開始後の定常状態において，測定された供給圧力Ｐの変化に対し図３（２）の関係で流量Ｑが変化する現象が見出される場合は，ガバナのないガスコンロの使用が推定される。ただし，ガス漏れの場合も同様の関係が見出されるので，ガスコンロとガス漏れの区別をつける必要がある。その方法については後述する。
【００２７】
そこで，本実施の形態のガス器具判定では，ガス器具の使用開始後のサンプリングタイム（例えば２秒毎）における供給圧力と流量のデータを蓄積し，所定時間内における供給圧力Ｐと流量Ｑのデータが，上記のＰ＝ｋＱ2（またはＱ＝a√P）と相関があるか否かをチェックし，相関がある場合は，ガスコンロまたはガス漏れと判定する。
【００２８】
図４は，ガスコンロにおけるガス供給圧力と流量の実際の測定データを示す図である。図４（１）に示されるように，供給圧力Ｐが変動する時に検出される流量Ｑには過渡的な大きな変動ＴＲを伴う。また，過渡状態以外の場合でも，測定値にはセンサの検出誤差等に起因する僅かな揺れ（変動）が含まれる。そこで，ガスメータにガス器具判定機能を搭載するときは，かかる過渡現象や揺れを除去して上記の相関関係の有無を検出する必要がある。
【００２９】
図４（２）は，２秒毎の測定値Ｐ，Ｑをそのまま横軸流量Ｑ，縦軸圧力Ｐのグラフにプロットした例であり，二次曲線Ｐ＝ｋＱ2に対して実際のデータＤ１は横軸方向に広がっている。
【００３０】
図５は，測定値からノイズを除去した場合の供給圧力と流量との関係を示す図である。図５（１）では，２秒毎の測定値Ｑをその前後の測定値と平均化した値に置き換えた例であり，平均化処理された測定データＤ２は，二次曲線に対する横軸方向の広がりは小さくなっている。さらに，図５（２）では，２秒毎の測定値Ｑから過渡現象により生じた変動値ＴＲを除去した場合の供給圧力と流量との関係を示している。この場合は，過渡現象変動値を除去された測定データＤ３の横軸方向の広がりは更に狭くなっている。図４（２）の２秒毎の測定値をそのままプロットした場合よりも，図５（１），図５（２）の場合の方が二次曲線との相関係数はより「１」に近い値になっている。
【００３１】
以上のことから理解できるように，ガスメータにガス器具判定機能を搭載するに際して，２秒毎の測定値を平均化処理したり過渡現象変動値を除去したりした測定データについて，上記の二次曲線との相関性があるか否かをチェックすることで，その判別精度を高めることができる。
【００３２】
図６は，ガスファンヒータなどガバナを有するガス器具のガス供給圧力と流量との関係を示す図である。この場合も，ガス器具の流量を制御する弁の開度を一定に保っている状態で，ガスの供給圧力Ｐを変動させたときの流量Ｑの変化を示している。供給圧力Ｐが上下に変動しても，その圧力の変化を吸収するガバナの機能により，ガスの流量Ｑは一定に保たれる。むろん，実際の測定値には揺れなどのノイズが含まれるが，それらを除去すれば，流量Ｑは一定になる。
【００３３】
したがって，流量が比較的少なく（例えば５ＫＷ以下），供給圧力Ｐの変化に対して流量Ｑが一定に保たれる現象が検出されたら，ガバナを備えたガスファンヒータやガスストーブを推定することができる。ただし，保安機能が高いガスファンヒータとそれほど高くないガスストーブとを区別することができれば，ガス監視センタでは，それぞれに最適なガス監視処理を行うことができる。そこで，その区別の方法について以下にて説明する。
【００３４】
図７は，ガスファンヒータにおけるガスの流量制御を示す図である。この例では，ガスの供給圧力を変動させることなく，ガスファンヒータが燃焼制御に伴って流量Ｑを変化させた時のガスの流量Ｑと圧力Ｐをプロットしたものである。時間ｔ０でガスファンヒータが使用開始され，時間ｔ３で使用を終了している。図７（１）は，中低温度に設定して燃焼開始した場合の流量の変化を示し，図７（２）は，最高温度に設定して燃焼開始した場合の流量の変化を示している。
【００３５】
ガスファンヒータは，ガバナ付きであり，その燃焼制御では，燃焼開始直後は最大燃焼で燃焼し，やがて設定温度に収束するようにガスの流量Ｑを低下させる。そして，ガスファンヒータでは，完全燃焼で且つ低ＮＯｘに維持するために，ガス流量とファンによる風量との関係を数点の制御点だけで制御が行われる。つまり，最適な風量と流量値を数点だけあらかじめコントローラに登録しておき，それらの制御点における風量と流量に制御する。そのため，流量の制御は，その数点の制御点に対応して階段状に変化することになる。燃焼開始時に中低温度に設定されていれば，燃焼直後の最大燃焼の最大流量ＱmaxからＱ１，Ｑ２と段階的に低下し，設定温度に近い制御点の流量値で安定する。一方，燃焼開始時に最高温度に設定されていれば，燃焼直後の最大燃焼の最大流量Ｑmaxがそのまま維持されるように制御される。
【００３６】
したがって，ガスの供給圧力の変動に対してガスの流量が一定の関係にあるガス器具であって，図７に示すような段階的な流量制御または一定の流量制御が行われた場合は，ガスファンヒータの使用であると判定することができる。
【００３７】
また，ガスファンヒータの場合でも，着火時の流量Ｑの増大に対応してガス圧力Ｐが低下し，流量Ｑの変化に対応してガス圧力Ｐが逆方向に変化している。つまり，供給圧力に変化がない場合に，流量Ｑが増減すると，それに対応して検出される圧力Ｐはそれと逆方向に減増する第３の現象が見いだせるのである。
【００３８】
図８は，ガスストーブとガスコンロの流量制御を示す図である。この例では，ガスの供給圧力を変動させることなく，ガスストーブ及びガスコンロでのガスの流量Ｑと圧力Ｐをプロットしたものである。時間ｔ０でガスストーブとガスコンロが使用開始され，時間ｔ３で使用を終了している。図８（１）がガスストーブの例であり，最大または中程度の燃焼出力で一定に保った場合である。ガスストーブは，ガバナを備えているが，その制御は，せいぜい大，中，小の燃焼出力の制御が行われる程度である。図示されるとおり，ガスストーブの制御弁による流量制御は行われていない場合は，ガスメータで検出されるガスの流量Ｑは徐々に低下している。ガスストーブの場合，ガスファンヒータのようにファンが設けられていないので，燃焼に伴ってガスストーブのバーナー部分の温度が上昇する。この温度上昇に伴って器具内でのガスの体積が膨張するので，器具への供給ガス流量が一定に制御されていたとしても，温度上昇のないガスメータでの流量Ｑは低下することになる。その現象が図８（１）に現れている。
【００３９】
一方，ガスファンヒータの場合は，ファンによりバーナー部分の温度が常時冷却されており，図７に示したとおり，ガスファンヒータで制御弁の開度の変更がない場合はガスメータでのガス流量Ｑは一定に保たれる。したがって，ガバナ付きガス器具の使用が検出され，且つ図８（１）の現象が検出された場合は，ガスストーブの使用であると判定することができる。
【００４０】
そして，ガスストーブの場合でも，着火時の流量Ｑの増大に対応してガス圧力Ｐが低下し，停止時の流量の減少に対応してガス圧力Ｐが増加している。つまり，ガスストーブでも，供給圧力に変化がない場合に，流量Ｑが増減するとそれに対応して検出される圧力Ｐはそれと逆方向に減増する第３の現象が見いだせるのである。
【００４１】
図８（２）のガスコンロでは，時間ｔ０で点火したときは，多くのガス流量が検出されるが，低出力に制御弁の開度が制御されるとガス流量Ｑは低い値に制御され，それ以降は一定値を保つ。ガスコンロの場合，弱火で長時間使用されることがあり，その場合はガス流量が長時間にわたり一定値に保たれる。ガスファンヒータもガス流量Ｑが一定値を保つが，図３，６で説明したガバナの有無に伴う供給圧力と流量との間の関係の違いから，ガスコンロと区別することが可能である。
【００４２】
また，ガスコンロの場合でも，着火時の流量Ｑの増大に対応してガス圧力Ｐが低下し，流量Ｑの減少に対応してガス圧力Ｐがわずかに増加している。つまり，第３の現象が生じている。
【００４３】
図９は，ガスコンロとガス漏れにおける流量制御とそれに伴う圧力変動を示す図である。前述のとおり，５ＫＷ以下のガス消費量の場合，ガスコンロにはガバナが設けられていないので，供給圧力Ｐの変化に対する流量Ｑの変化はＱ＝ａ√Ｐの曲線と強い相関を有することが検出されるとガスコンロの使用が推定され，ガスファンヒータやガスストーブと区別可能である。ただし，ガス漏れの場合も，同様の相関を有するので，ガスコンロとガス漏れとを区別することが必要になる。
【００４４】
図９（１）はガスコンロにおいて，制御弁の開度を制御した場合の流量変化と圧力変化を示す。時間ｔ０でガスコンロを点火すると，流量Ｑが増大し圧力Ｐが低下する。その後，流量Ｑを増加するように制御すると圧力Ｐは低下し，逆に流量Ｑを低下すように制御すると圧力Ｐは上昇する。図９（２）はガス漏れの場合の流量変化と圧力変化を示す。時間ｔ０でガス漏れが発生すると，その時点で流量Ｑが増加し圧力Ｐが低下する。しかし，ガス漏れの場合は，その後流量Ｑの制御が行われないので，流量Ｑ及び圧力Ｐは一定に保たれる。
【００４５】
上記のように，ガスファンヒータ，ガスストーブ及びガスコンロ等のガス器具やガス漏れでは，そのガスの流路は，ガスメータから供給ガスラインと所定の絞りを経由して大気中に解放された構造になっている。このような場合は，流量制御弁を調節して流量Ｑが増加すれば，ガスメータでのガス圧力は低下し，流量Ｑが減少すればガスメータでのガス圧力は上昇する。つまり，ガスコンロやガス漏れが推定される場合，図３で示したとおりガス供給圧力Ｐが変動した場合は，ガス流量Ｑは圧力Ｐの平方根に比例して変化するが，逆に，供給圧力が変化しない場合に，流量Ｑを変化させるとガスメータでのガス圧力は逆方向に変化するのである。つまり，ガスの上流側からの供給圧力が変動しなくても，ガス供給ラインに圧力抵抗が存在するので，流量Ｑの変化がガスメータでの逆方向の圧力変化を招くのである。
【００４６】
さらに，ガスコンロの場合は，点火後において人為的なガス流量の制御が継続して行われるのに対して，ガス漏れの場合はそのような人為的なガス流量の制御はなく流量は一定に保たれる。したがって，図９のようなガス流量と圧力との関係が見出され，ガスの使用開始後にガス流量と圧力とが逆の方向に変動する現象が継続的に発生する場合は，ガスコンロと判定することができ，継続的に発生しない場合はガス漏れと判定することができる。
【００４７】
以上の流量と圧力との関係から，５ＫＷ以下のガス消費量でのガスファンヒータ，ガスストーブ，ガスコンロ，ガス漏れを区別するための判別ロジックについて説明する。
【００４８】
［第１の実施の形態］
図１０は，第１の実施の形態におけるガス器具判定ロジックを説明する図表である。図１０には，ガスの圧力と流量の現象パターンが３種類と流量パターンが１種類示されていて，これらの４種類のパターンの組み合わせにより，５ＫＷ以下のガス消費量の場合に上記の４種類（ガスファンヒータ，ガスストーブ，ガスコンロ，ガス漏れ）を区別することができる。
【００４９】
パターン１は図３で説明した第１の現象であり，ガス器具の制御弁の開度が一定の場合，ガス供給圧力Ｐの変動に対して流量Ｑは，圧力Ｐの平方根に比例する関係で変動する現象である。この場合は，ガバナが設けられていないガス器具，典型的にはガスコンロ，またはガス漏れと推定される。
【００５０】
パターン２は図６で説明した第２の現象であり，ガス器具の制御弁の開度が一定の場合，ガス供給圧力Ｐの変動に対して流量Ｑは一定値に保たれる現象である。この場合は，ガバナが設けられているガス器具で，５ＫＷ以下のガス消費量の場合はガスファンヒータまたはガスストーブと推定される。
【００５１】
パターン３は図７，８，９で説明した第３の現象であり，ガスの供給圧力に変動はなかったが，ガス器具の制御弁の開度が上下に制御されそれに伴ってガスの流量が変化した場合，ガスメータでの圧力は流量変動と逆方向に変動する現象である。このような現象が発生するのは，ガス器具側で流量制御が行われている場合であり，ガス漏れではない場合である。つまり，ガスコンロ等のガス器具では使用開始後に流量変化が継続して生じるが，ガス漏れではそのような流量変化は発生しない。この第３の現象の検出から，ガス器具の使用とガス漏れとを区別することができる。
【００５２】
パターン４は図７，８で説明した流量パターンであり，ガスファンヒータでは，ガス流量が段階的に制御されるかまたは一定値に保たれ，ガスストーブでは，ガス流量が徐々に低下する。この場合，供給圧力に変動がなければガスの圧力は第３の現象で変化する。一方，ガスファンヒータとガスストーブは共にガバナを有するので，供給圧力に変動があっても流量が変化しない第２の現象を伴う。したがって，第２の現象が検出される場合は，この流量変化パターンに基づいて，ガスファンヒータとガスストーブとを簡単に区別することができる。
【００５３】
図１１，図１２は，本実施の形態におけるガス器具判定ユニットにおける判定フローチャート図である。図２のガスメータ内の制御ユニットは，ガス器具判定機能を有する判定ユニットである。この制御ユニットは，常時ガスの圧力と流量とを監視している。つまり，ガスの圧力Ｐと瞬時流量Ｑとを記録していて（Ｓ１０），所定の規定時間（例えば３００秒間）内の圧力Ｐと流量Ｑとの関係が，図１０の４つのパターンに合致するか否かを監視する。
【００５４】
まず，流量の発生開始後の定常状態でガスの圧力に変化があるか否かが判断される（Ｓ１２）。ガスの圧力に変化がない場合は，図７，８で説明したように，図１０のパターン４のガスファンヒータ及びガスストーブと，図８（２）のガスコンロが推定される。これらの区別の方法は後述する。また，ガスの圧力に変化がある場合は，図１０のパターン１，２，３のいずれかの現象を検出することになる。ただし，ガスの圧力変化でも周期的に変化する場合がある（Ｓ１４）。つまり，制御弁などの制御により流量と圧力とに脈動が生じて周期的な変化が検出された場合は，図１０のパターン１，２，３には該当せず，ガスの圧力に変化がない場合と同様である。
【００５５】
ガスの圧力に変化があり且つ脈動でもない場合は（Ｓ１２でＹＥＳ，Ｓ１４でＮＯ），パターン１（第１の現象）か否かの判断が行われる（Ｓ１６）。圧力Ｐの変化に対し流量ＱがＰ＝ｋＱ2またはＱ＝ａ√Ｐの関係で変化している第１の現象が見出されたら（Ｓ１６のＹＥＳ），ガバナのないガス器具（典型的にはガスコンロ）かガス漏れが推定される。圧力Ｐと流量Ｑとの間にＰ＝ｋＱ2またはＱ＝ａ√Ｐの関係が見出されないなら（Ｓ１６のＮＯ），ガバナのあるガス器具（典型的にはガスファンヒータとガスストーブ）が推定される。または，圧力Ｐが変動しても流量Ｑが変動しないパターン２の第２の現象が見出された場合に，ガバナのあるガス器具が推定されてもよい。
【００５６】
工程Ｓ１６でＹＥＳの場合，パターン３（第３の現象）で流量と圧力とが継続的に変化しているか否かがチェックされる（Ｓ１８）。そして，流量変化と圧力変化とが逆の関係で変化している第３の現象が継続して繰り返されている場合は（Ｓ１８のＹＳＥ），ガスコンロと判定され，ガスコンロの警告処理が行われる（Ｓ２２）。また，繰り返されていない場合は（Ｓ１８のＮＯ），ガス漏れと判定され，即座に顧客宅に電話等で警告が発せられる（Ｓ２６）。
【００５７】
工程Ｓ１６でＮＯの場合，パターン４の流量パターンに基づいて，ガスファンヒータとガスストーブとが区別される。すなわち，段階的な流量変化が検出されると（Ｓ５０のＹＥＳ），ガスファンヒータが検出され（Ｓ５２），その処理１に移行する。また，徐々に減少する右下がりの流量変化が検出されると（Ｓ５４のＹＥＳ），ガスストーブが検出され（Ｓ５６），ガスストーブの警報処理が行われる（Ｓ５８）。そして，段階的な流量変化がなく（Ｓ５０のＮＯ），右下がりの流量変化もない場合（Ｓ５４のＮＯ）は，ガスファンヒータと判定され（Ｓ６０），その処理１に移行する。なお，流量が一定であることを検出してガスファンヒータと判定してもよい。
【００５８】
工程Ｓ１２でガス圧力の変化が検出されない場合または検出されても周期的な変化が検出された場合は，流量の発生開始直後に段階的な流量変化が検出されれば（Ｓ３０のＹＥＳ），ガスファンヒータが検出され（Ｓ３２），その処理２に移行する。また，右下がりの流量変化が検出されれば（Ｓ３４のＹＥＳ），ガスストーブが検出され（Ｓ３６），ガスストーブの警報処理が行われる（Ｓ３８）。そして，流量変化がない場合は，ガスファンヒータの最大燃焼かガスコンロかが推定されるが，その場合は，図１２で説明するガスファンヒータの登録された流量に一致するか否かでガスファンヒータとガスコンロとが区別される（Ｓ４０，Ｓ４２，Ｓ４４）。
【００５９】
図１２では，ガスファンヒータの処理１，２が示されている。工程Ｓ５２，Ｓ６０でガスファンヒータと検出された場合，工程Ｓ１６の判定ＮＯでガバナ付きのガス器具であることが検出されているので，高い精度でガスファンヒータが検出されていることになる。したがって，その場合は，処理１に対応して，制御ユニット内の不揮発性メモリのファンヒータテーブルに最大燃焼時の流量を登録する（Ｓ６２，Ｓ６４）。登録済みの場合は，新たに登録する必要はない。
【００６０】
このようにして，ガスファンヒータの最大流量が登録されていれば，工程Ｓ４０にて，使用流の流量が登録された最大流量と位置するか否かにより，ガスファンヒータの判定Ｓ４２とガスコンロの判定Ｓ４４とを区別して行うことができる。
【００６１】
図１２では，処理１，２のいずれの場合も，ファンヒータの所定の継続時間を経過すると，ガス監視センタから顧客宅に電話等により警報があげられる。
【００６２】
ガスコンロの警報処理Ｓ２２，Ｓ４６では，例えば１時間程度の継続使用が検出されると，顧客宅にガス監視センタから電話等により警報があげられる。ただし，この１時間は，ガスファンヒータやガスストーブの継続時間よりも短く設定されている。また，ガスストーブの警報処理では，ガスファンヒータの警報処理よりも短い継続時間の経過で警報があげられる。ガスストーブはガスファンヒータに比較すると保安機能が低いので，警報をあげるまでの継続時間もそれに対応して短く設定される。
【００６３】
以上のように，４つのパターンに基づけば，比較的少ないガス流量帯において，ガスファンヒータ，ガスストーブ，ガスコンロ，そしてガス漏れを簡単に且つ正確に判定することができる。したがって，これらの区別に基づいて，ガス監視センタから必要な警報を顧客にあげることで，ガス監視サービスの質を向上し，誤警報の頻度を下げることができる。
【００６４】
［第２の実施の形態］
第１の実施の形態では，第１，第２，第３の現象と流量パターンの組合せで，ガス器具の種類とガス漏れを判定した。しかしながら，第１，第２，第３の現象が検出されない場合もまれに発生することが予想される。更に，第１の実施の形態のようにいずれのガス器具またはガス漏れを判定できない場合も予想される。そのような場合も確実に適切な警報をあげるために何らかの器具判定ロジックが必要になる。
【００６５】
そこで，第２の実施の形態では，まず，流量が基準値（例えば５００Ｌ／ｈ）よりも大きい場合と小さい場合で区別し，大きい場合は，図１に示した流量に対応して器具判定を行いその安全継続使用時間で警報をあげたり遮断したりする。小さい場合は，第１の実施の形態に類似する方法で器具判定を行う。さらに，第２の実施の形態では，第１，第２，第３の現象のいずれも検出できず圧力も流量も変化しない場合は，流量発生開始直後の流量パターンを元にして器具判定を行う。まず，問題となるガス器具の圧力と流量の現象を説明してから，第２の実施の形態の器具判定について説明する。
【００６６】
図１３は，ガスコンロで強火状態が放置された場合の圧力と流量の現象を示す図である。図中Iは第１の現象，IIIは第３の現象を意味する。この例では，時間ｔ０で着火すると流量Ｑが上昇し圧力Ｐが減少する第３の現象が生じる。その後，流量Ｑは基準流量（２００〜３００Ｌ／ｈ）より多い状態を維持し，第１の現象が継続する。この場合は，ガスコンロが強火状態で放置された場合の典型的な現象であり，かかる状態は，着火後に第３の現象が検出されても流量が基準値よりも高いことを根拠に検出可能である。この場合は，比較的短時間の時間ｔ１で警報をあげることが望ましい。
【００６７】
図１４は，ガスコンロが中火または弱火で放置された場合の圧力と流量の現象を示す図である。この例では，時間ｔ０で着火すると流量Ｑが上昇し圧力Ｐが減少する第３の現象が生じる。その後，流量Ｑは基準流量より少ない状態を維持し，第１の現象が継続する。また，第１の現象継続中に流量も圧力も変化しない第４の現象（図中IV）が生じる場合もある。流量が基準流量より少ない状態で第１の現象が継続する場合は，ガスコンロの中火または弱火での放置かまたはガス漏れが推定されるが，着火時に流量が変化しているので，ガスコンロの中火または弱火での放置である。つまり，第３の現象以外に第４の現象が継続する場合も，ガスコンロを判定することが求められる。この場合は，例えば６０分程度の時間ｔ２で警報をあげることが望ましい。
【００６８】
図１５は，ガスストーブが最大出力で使用された場合の圧力と流量の現象を示す図である。この例では，時間ｔ０で着火すると流量Ｑが上昇し圧力Ｐが減少する第３の現象が生じる。その後，流量制御は行われないが，図８で説明したように流量Ｑがわずかに減少し，圧力Ｐがわずかに上昇している。そして，バーナの温度上昇が飽和すると流量の減少はなくなり，その後流量制御が行われないので第２の現象か第４の現象が検出される。したがって，第３の現象以外に第４の現象が継続する場合も，ガスストーブを判定することが求められる。
【００６９】
図１６は，第２の実施の形態における器具判定のフローチャート図である。また，図１７は，その詳細な器具判定を示す図表である。図１７の図表の流量と圧力の現象の欄に示すとおり，器具の着火など流量発生開始時には，第３の現象IIIが生じ，その後の定常状態で第１の現象Iが検出される場合と，第２の現象IIが検出される場合と，第３の現象IIIが検出される場合と，それらが検出されずに第４の現象IVが検出される場合とに分けられている。それぞれの現象が検出された場合の判定方法が示されている。
【００７０】
図１６に示すように，流量の発生が開始されると第３の現象IIIが検出される（Ｓ７０）。その後，ガスメータはガス圧力と瞬時流量のサンプリングを開始する（Ｓ７２）。流量がオンによりガス器具が動作を開始し，開始直後では種々の流量制御が行われる（Ｓ７４）。この間も，圧力と流量のサンプリングは継続される。
【００７１】
そして，開始動作の後に第１の現象Ｉが検出されると（Ｓ７６のＹＥＳ），ガバナのない器具が使用されているかガス漏れかが推定され，以下のとおり器具判定が行われる（Ｓ７８）。この場合は，図１７の状態１〜４に示されるとおり，流量が１０００Ｌ／ｈ以上ならガス漏れ（ガス栓最大開度で放出を含む）と判定され，それがガスセンタに通信で通知され短時間で顧客宅に警報があげられる（状態１）。また，流量が２００〜３００Ｌ／ｈを超えて継続する場合は，図１３に示すようにガスコンロが強火で放置されたかまたはガス漏れが判定され，状態１よりも長いが比較的短時間で顧客宅に警報があげられる（状態２）。さらに，流量が基準値，例えば２００〜３００Ｌ／ｈ以下の場合は，ガスコンロかガス漏れかが推定される。そこで，流量オンの後に第３の現象IIIによる流量制御が行われなければガス漏れと判定され（状態３），第３の現象IIIによる流量制御が行われていればガスコンロの中火または弱火と判定される（状態４）。状態３のガス漏れが判定されると短時間で警報があげられ，状態４のガスコンロが判定されると１時間程度で警報があげられる。
【００７２】
次に，開始動作の後に第２の現象IIが検出されると（Ｓ８０のＹＥＳ），ガバナのあるガス器具が使用されていると推定され，以下のとおり器具判定が行われる（Ｓ８２）。この場合は，図１７の状態５〜７に示されるとおり，流量が基準値の５００Ｌ／ｈ以上の場合は給湯器などのガバナ器具と判定され，図１に示した流量に応じた安全継続使用時間にしたがって警報処理が行われる（状態５）。流量が基準値の５００Ｌ／ｈ以下の場合はガスファンヒータ（段階的制御可能なインテリジェントコンロを含む）かガスストーブかを区別することが望まれる。そこで，動作開始後に流量が徐々にわずかだけ減少していればガスストーブと判定され（状態６），動作開始後に流量が段階的に減少するか一定値を保つ場合はガスファンヒータと判定される（状態７）。ガスストーブの判定時は，２〜３時間で警報をあげる。これはガスコンロよりも長い継続時間でガスファンヒータより短い継続時間である。また，ガスファンヒータと判定される時は，図１の使用量に応じた安全継続使用時間で警報処理が行われる。または，保安機能付きのガスファンヒータであるので比較的長い継続使用時間で警報処理してもよい。
【００７３】
そして，開始動作の後に第３の現象IIIが継続して検出されると（Ｓ８４のＹＥＳ），少なくともガス漏れではなくガス器具が使用され流量制御が行われていると判定することができる。その場合は，以下のとおり器具判定が行われる（Ｓ８６）。つまり，図１７の状態８〜１０に示されるように，流量が基準値の５００Ｌ／ｈ以上の場合は給湯器などのガバナ器具と判定され，図１に示した流量に応じた安全継続使用時間にしたがって警報処理が行われる（状態８）。一方，流量が基準値の５００Ｌ／ｈ以下の場合はガスファンヒータかガスコンロかを区別することが望まれる。流量制御が行われているのでガスストーブの可能性は低いからである。そこで，動作開始後の流量パターンが立ち上がり後に段階的に減少すればガスファンヒータと判定され（状態９），それ以外の流量パターンではガスコンロと判定される（状態１０）。ファンヒータの判定時は，ファンヒータに固有の比較的長い継続時間で警報があげられ，ガスコンロの判定時は，１時間程度で警報があげられるかあるいは人手による流量制御が検出されているので図１のように比較的長い継続時間で警報があげられる。
【００７４】
さらに，開始動作後に第１及び第２の現象が検出できず，継続的な第３の現象も検出できない場合は，上流側の供給圧力に変化がなく，下流側の流量変化も行われない場合であり，第４の現象IVと判定する（Ｓ８８）。その場合は，以下のとおり器具判定がおこなわれる（Ｓ９０）。つまり，図１７の状態１１〜１６に示されるように，まず流量が基準流量の５００Ｌ／ｈ以上の場合は，ガス漏れかガバナ付き大型器具の判別はつかないので，図１に示す流量に対応した継続時間で警報処理が行われる（状態１１）。一方，流量が基準流量５００Ｌ／ｈ以下の場合は，ガスストーブ，ガスファンヒータ，ガスコンロのいずれかが推定される（状態１２〜１６）。この場合は，以下に説明するように動作開始直後の流量パターンに応じて区別される。
【００７５】
すなわち，流量が２００〜５００Ｌ／ｈ以下で流量が動作開始後に徐々に減少する場合はガスストーブと判定される（状態１２）。また，流量が基準値５００Ｌ／ｈ以下で器具の動作開始直後に流量が大幅に減少している場合はガスコンロと判定される（状態１３）。さらに，流量が５００Ｌ／ｈ以下で器具の動作開始直後に流量が段階的に減少する場合はガスファンヒータと判定される（状態１４）。または，流量が５００Ｌ／ｈ以下で，器具の動作開始直後も流量が一定であり，それが登録された最大出力流量値と一致する場合もガスファンヒータと判定される（状態１５）。登録された最大出力流量値と一致しない場合は，原則判別不能である（状態１６）。判別不能の場合は，図１の手法で対応される。
【００７６】
以上のように，流量が発生した後において，一回でも第１の現象Iが検出されるとガバナなし器具かガス漏れと判定可能であり，一回でも第２の現象IIが検出されるとガバナつき器具と判定可能である。そして，第１，第２の現象が検出できない場合に，第３の現象による流量変化が継続する場合は，少なくともガス漏れではなく，ガス器具による流量制御が行われていると判定可能であり，器具の動作開始後の流量パターンから器具判定が行われる。さらに，流量が発生した後に，圧力も流量も変化しない第４の現象が検出される場合は，動作開始後の流量パターンを基に器具判定が行われる。このように，第２の実施の形態では，第１〜第４の現象に応じてそれぞれ最適な方法で器具判定を行うことができる。
【図面の簡単な説明】
【００７７】
【図１】保安機能の一つである安全継続使用時間オーバ時の遮断に利用される安全継続使用時間の設定値を示す図である。
【図２】本実施の形態におけるガス器具判定機能を有するガスメータの構成図である。
【図３】ガスコンロにおけるガス供給圧力と流量との関係を示す図である。
【図４】ガスコンロにおけるガス供給圧力と流量の実際の測定データを示す図である。
【図５】測定値からノイズを除去した場合の供給圧力と流量との関係を示す図である。
【図６】ガスファンヒータなどガバナを有するガス器具のガス供給圧力と流量との関係を示す図である。
【図７】ガスファンヒータにおけるガスの圧力Ｐと流量Ｑとの関係を示す図である。
【図８】ガスストーブとガスコンロの流量制御を示す図である。
【図９】ガスコンロとガス漏れにおける流量制御とそれに伴う圧力変動を示す図である。
【図１０】本実施の形態におけるガス器具判定ロジックを説明する図表である。
【図１１】本実施の形態におけるガス器具判定ユニットにおける判定フローチャート図である。
【図１２】本実施の形態におけるガス器具判定ユニットにおける判定フローチャート図である。
【図１３】ガスコンロで強火状態が放置された場合の圧力と流量の現象を示す図である。
【図１４】ガスコンロが中火または弱火で放置された場合の圧力と流量の現象を示す図である。
【図１５】ガスストーブが最大出力で使用された場合の圧力と流量の現象を示す図である。
【図１６】第２の実施の形態における器具判定のフローチャート図である。
【図１７】第２の実施の形態における器具判定を示す図表である。
【符号の説明】
【００７８】
１０：ガスメータ                １２，１４：ガス供給ライン
１６：顧客宅                    １０２：ガス流量検出器
１０４：圧力検出器              １０６：制御ユニット，ガス器具判定ユニット
【図１】
2007093459.tif 000003
【図２】
2007093459.tif 000004
【図３】
2007093459.tif 000005
【図４】
2007093459.tif 000006
【図５】
2007093459.tif 000007
【図６】
2007093459.tif 000008
【図７】
2007093459.tif 000009
【図８】
2007093459.tif 000010
【図９】
2007093459.tif 000011
【図１０】
2007093459.tif 000012
【図１１】
2007093459.tif 000013
【図１２】
2007093459.tif 000014
【図１３】
2007093459.tif 000015
【図１４】
2007093459.tif 000016
【図１５】
2007093459.tif 000017
【図１６】
2007093459.tif 000018
【図１７】
2007093459.tif 000019